(57)【要約】      （修正有）【課題】記憶効果の特性を有する表示素子を使用して、画面全体として良好な表示特性が得られる表示パネルを備えた大型の映像表示装置を実現する。【解決手段】映像表示装置は、表示タイル４１と、複数の表示タイル４２が接合されて構成される表示パネルとを備えた構成であり、表示タイル４１、４２は、記憶効果の特性を有する表示素子３０の配列により構成される。表示タイル４１は、表示素子３０が一定間隔で配列されて、かつ他の表示タイル４２と接合した場合に、他の表示タイル４２の表示素子３０との間隔も一定間隔になるように構成されている。【選択図】図４
2012189627.tif 000002
【特許請求の範囲】
【請求項１】
記憶効果の特性を有する表示素子の配列により構成される表示タイルと、
複数の前記表示タイルが接合されて構成される表示パネルとを有し、
前記表示タイルは、
前記表示素子が一定間隔で配列されて、かつ他の表示タイルと接合した場合に、当該他の表示タイルの表示素子との間隔も前記一定間隔になるように構成されている映像表示装置。
【請求項２】
前記表示タイルは、
前記表示素子が相互に一定間隔で配列されて、他の表示タイルと接合する接合部からの間隔が前記一定間隔のほぼ１／２になるように構成されている請求項１に記載の映像表示装置。
【請求項３】
前記表示タイルは、
前記表示素子として電子ペーパー用表示素子が使用されることを特徴とする請求項１又は請求項２のいずれか１項に記載の映像表示装置。
【請求項４】
データ送信装置とネットワークを介して接続する表示制御装置を含み、
前記表示制御装置は、
前記データ送信装置から送信されるデータに応じて前記表示素子に対する表示制御を実行し、前記表示パネルに前記データに応じた映像を表示するように構成されていることを特徴とする請求項１から請求項３のいずれか１項に記載の映像表示装置。
【請求項５】
請求項４に記載の映像表示装置と、
前記映像を表示するためのデータを生成し、前記データ送信装置により前記データを送信するように制御するコンピュータと
を具備したことを特徴とする映像表示システム。
【請求項６】
前記表示タイルは、
前記表示素子として、電源供給が停止されても表示内容を保持する液晶表示が使用されることを特徴とする請求項１又は請求項２のいずれか１項に記載の映像表示装置。
【請求項７】
前記表示パネルは、
複数の表示タイルが接合されて構成される場合に、当該各表示タイルが接合される接合部が表示タイル数より小さい数からなるように構成されることを特徴とする請求項１又は請求項２のいずれか１項に記載の映像表示装置。
【請求項８】
前記複数の表示タイルの中で、任意の１個の表示タイルの１辺のサイズが他の表示タイルより大きく構成されることを特徴とする請求項７に記載の映像表示装置。
【発明の詳細な説明】
【技術分野】
【０００１】
本発明の実施形態は、記憶効果の特性を有する表示素子から構成される映像表示装置に関する。
【背景技術】
【０００２】
近年、例えば店舗内で広告などの情報提示用として映像表示装置が活用されている。また、展示場などの施設において、展示物などの情報提示用として特に大型の映像表示装置が活用されている。
【０００３】
このような映像表示装置は、デジタルサイネージシステムと呼ばれる映像配信システムから配信される映像を表示するディスプレイとして使用されることが多い。映像表示装置は、情報提示の表示形態として動画像又は静止画像のいずれの場合にも適用されている。
【０００４】
ところで、動画像を表示する場合には表示内容が連続的に変化するが、例えばポスター等の静止画像は表示内容が変化しない。この静止画像の表示の場合でも、映像表示装置は表示動作のための電力を消費することになる。
【０００５】
そこで、電力消費を節約するために、いわゆる電子ペーパーなどに利用される表示素子を使用する映像表示装置の開発が提案されている。電子ペーパーは、記憶効果の特性を有する表示素子により、表示更新時にのみ電源を必要とし、電源が供給されていなくても表示内容を保持することができるデバイスである。
【先行技術文献】
【特許文献】
【０００６】
【特許文献１】特開２００３−７５８６３号公報
【発明の概要】
【発明が解決しようとする課題】
【０００７】
記憶効果の特性を有する表示素子を使用する映像表示装置は、電力消費を節約できるため有用である。しかしながら、電子ペーパーとは異なり、デジタルサイネージシステムなどに利用される映像表示装置は、大型の表示パネルを有する。大型の表示パネルは、複数の表示部材を組み合わせて構成する。このため、組み合わせ部分で、良好な表示特性を得られないなどの課題がある。
【０００８】
そこで、記憶効果の特性を有する表示素子を使用して、画面全体として良好な表示特性が得られる表示パネルを備えた大型の映像表示装置を実現することが求められる。
【課題を解決するための手段】
【０００９】
本実施形態によれば、映像表示装置は、表示タイルと、複数の前記表示タイルが接合されて構成される表示パネルとを備えた構成である。表示タイルは、記憶効果の特性を有する表示素子の配列により構成される。前記表示タイルは、前記表示素子が一定間隔で配列されて、かつ他の表示タイルと接合した場合に、当該他の表示タイルの表示素子との間隔も前記一定間隔になるように構成されている。
【図面の簡単な説明】
【００１０】
【図１】実施形態に関する映像配信システムの構成を説明するためのブロック図。
【図２】実施形態に関する映像表示装置の表示パネルの構成を説明するための図。
【図３】実施形態に関する表示タイルの構成を説明するための図。
【図４】実施形態に関する表示タイルの構成を説明するための図。
【図５】他の実施形態に関する表示パネルの効果を説明するための図。
【図６】他の実施形態に関する表示パネルの構成を説明するための図。
【発明を実施するための形態】
【００１１】
以下図面を参照して、実施形態を説明する。
【００１２】
［システムの構成］
図１は、本実施形態の映像表示装置１０を有する映像配信システムの構成を示すブロック図である。
【００１３】
本実施形態の映像表示装置１０は、後述するように、例えばセグメント方式と呼ばれる構造の大型表示画面１１を備えた構成である。映像表示装置１０は、ネットワーク１２を介して、映像配信システムのサーバ１３に接続されている。
【００１４】
また、映像表示装置１０は、ＬＥＤコントローラ１４から配信されるデータに応じた映像（動画像又は静止画像）を表示する。
【００１５】
また、映像表示装置１０は、ネットワーク１２を介してＬＥＤコントローラ１４から配信された映像データに応じて、表示画面１１上に表示する映像（画像）の画角調整や各表示素子に対する表示制御を行なう表示制御部を有する。
【００１６】
ネットワーク１２は、無線又は有線のＬＡＮやインターネットなど通信ネットワークである。
【００１７】
サーバ１３は、広告用や展示用などの情報を生成する情報処理機能、及び映像表示装置１０に配信する映像データを生成する画像処理機能を有する。サーバ１３は、画像処理機能により、映像表示装置１０の解像度（表示サイズ）に応じた映像データを生成する。さらに、映像表示装置１０は、ＵＳＢメモリー等の記憶媒体に接続するスロットを含み、記憶媒体から読み出されるデータに応じた映像を生成できる構成であってもよい。
【００１８】
ＬＥＤコントローラ１４は、サーバ１３から受けたデータに基づいて、映像表示装置１０へＲＧＢなどのＬＥＤ表示に関するデジタルデータ（映像信号）を送出して表示画面をコントロールする。
【００１９】
このような映像配信システムにより、本実施形態の映像表示装置１０を例えば競馬場、空港、店舗内に設置することにより、映像表示装置１０の表示画面１１にサーバ１３から配信される広告情報などの映像を表示するデジタルサイネージシステムを構築することができる。
【００２０】
［映像表示装置の構成］
図２から図４は、本実施形態の映像表示装置１０の構成を説明するための図である。
【００２１】
図２は、映像表示装置１０の表示画面１１を構成するための表示パネル２０の構成を示す図である。表示パネル２０は、例えば１辺が１ｍ程度の大型パネルである。表示パネル２０は、多数の表示タイル２１をマトリックス状に配列した構成である。即ち、表示パネル２０は、多数の表示タイル２１が接合されて構成されている。
【００２２】
１個の表示タイル２１は、図３に示すように、多数の表示素子３０が一定間隔（ａ）で配列されている構成である。表示タイル２１は、例えば１辺が２０〜３０ｃｍ程度の正方形である。１個の表示素子３０は、例えば電子ペーパー用の表示素子であり、記憶効果を有する特性、即ち電源の供給が停止されても表示内容を保持する機能を発揮する表示素子である。具体例としては、表示素子３０は、例えばコレステリック（Cholesteric）液晶素子である。
【００２３】
表示タイル２１は、電源の印加で各表示素子３０がオンになると、表面上に視認できる表示状態となる。ここで、表示内容の更新には電源の印加が必要となるが、電源の印加がオフになっても、それまでの表示内容を保持する。なお、当然ながら、表示タイル２１は、黒色のみではなくカラー表示が可能なものや、色の濃淡を表現する階調表現が可能なものもある。
【００２４】
図４は、２個の表示タイル（タイル１，２）４１，４２が接合されている状態を示す図である。図４に示すように、各表示タイル４１，４２では、各表示素子３０は素子間が一定間隔（ａ）で配列されている。さらに、各表示タイル４１，４２では、接合部となる表端面部分４３からは一定間隔（ａ）のほぼ１／２間隔（ａ／２）になるように、各表示素子３０が配列されている。
【００２５】
このような構成の表示タイル２１を接合して、図２に示すように、表示パネル２０を構成した場合に、各表示タイル２１の接合部分での表示状態は、各表示タイル毎の表示状態と整合性が取れるように良好な表示特性となる。即ち、図４に示すように、１個の表示タイル４１では多数の表示素子が一定間隔（ａ）で配列されると共に、他の表示タイル４２と接合した場合に、当該他の表示タイル４２の表示素子３０との間隔も、「２×（ａ／２）＝ａ」となり、一定間隔（ａ）となる。
【００２６】
以上のようにして、例えば電子ペーパー用の表示素子であり、記憶効果を有する特性の多数の表示素子３０を配列した表示タイル２１を接合し、大型の１枚の表示パネル２０を構成することができる。この場合、任意の数の表示タイル２１を組み合わせることにより、任意の大きさの表示パネル２０を構成することが可能である。
【００２７】
このような大型の表示パネル２０により表示画面１１を構成する映像表示装置１０であれば、例えば電子ペーパーと同様に、電源供給がオフになっても表示内容を保持できる表示機能を実現することができる。また、本実施形態の表示パネル２０であれば、各表示タイル２１を接合部分においても、表示素子が一定間隔（ａ）で配列されるため、視覚的に違和感のない表示状態を実現することができる。
【００２８】
要するに、例えば電子ペーパーより大型で、画面全体として表示特性が良好な１枚の大型の表示パネル２０を実現できる。このため、デジタルサイージシステムに適用する有用な映像表示装置を提供することができる。また、電子ペーパーと同様の表示機能を実現できるため、映像データに応じた表示内容を更新した後では、電源供給を停止しても表示内容を保持できる。従って、電力消費を節約できる映像表示装置を提供することができる。
【００２９】
［他の実施形態］
図５及び図６は、他の実施形態に関する表示パネルの構成を説明するための図である。
【００３０】
図５（Ａ）は、例えば４個の表示タイル５１〜５４を組み合わせて構成した表示パネルを示す図である。図５（Ｂ）は、各表示タイル５１〜５４において、一定間隔で表示素子３０が配列されている構成を示す図である。
【００３１】
ここで、図５（Ａ）に示すように、４個の表示タイル５１〜５４を組み合わせた場合に、その接合部５５は、４つの接合部で形成されるため、強度が低く、かつ接合状態が不安定になる可能性が高い。
【００３２】
これに対して、本実施形態の表示パネルは、図６（Ａ）に示すように、例えば４個の表示タイル６１〜６４を組み合わせる場合に、１個の表示タイル６１を１辺当たりのサイズを他の表示タイル６２〜６４より大きくなるように構成する。なお、図６（Ｂ）は、各表示タイル６１〜６４において、一定間隔で表示素子３０が配列されている構成を示す図である。
【００３３】
本実施形態の表示パネルであれば、図６（Ａ）に示すように、４個の表示タイル６１〜６４を組み合わせた場合に、その接合部６５は、３つの接合部で形成される。従って、相対的に強度が高く、かつ接合状態が安定になる。また、各表示タイル６１〜６４の接合線が目立ち難いという効果もある。
【００３４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３５】
１０…映像表示装置、１１…表示画面、１２…ネットワーク、
１３…サーバ、１４…ＬＥＤコントローラ、２０…表示パネル、
２１，４１，４２…表示タイル、
４３，５５，６５…接合部、３０…表示素子。
【図１】
2012189627.tif 000003
【図２】
2012189627.tif 000004
【図３】
2012189627.tif 000005
【図４】
2012189627.tif 000006
【図５】
2012189627.tif 000007
【図６】
2012189627.tif 000008